(57)【要約】【課題】浴室サウナ装置で加湿に使用する加湿水中に含まれる硬度成分が浴室サウナ装置内部に析出し、運転開始時に脱落することでサウナ対象室内に吹出す可能性がある。また、浴室サウナ装置運転終了時には浴室サウナ装置内部の循環風路内部は高湿度な状態となっており、運転停止中に菌や黴などが繁殖する可能性があった。【解決手段】浴室サウナ装置の運転開始時に加湿用水の供給を行って一定の期間を経過してから循環ファン１０６の運転を開始することで加湿水により循環風路１０５内の洗浄を行い、硬度成分が吹出すのを防止する。また、浴室サウナ装置の運転終了時に加湿水の供給を停止した後、一定期間循環ファン１０６を運転することで循環風路１０５内を乾燥させ浴室サウナ装置内部での菌や黴の発生を防止する。【選択図】図１
2006025962.tif 000002
【特許請求の範囲】
【請求項１】
浴室内を加熱するための加熱手段と、浴室内を加湿するための加湿手段を有する浴室サウナ装置において、前記加湿手段が加湿手段に送風を行う送風用ファンに給水を行うことで水を微細な水滴に破砕し、生成した微細な水滴を前記送風用ファンにより浴室内に供給することで加湿を行う加湿手段であり、浴室サウナ装置の運転開始時に、浴室サウナ装置の内部を洗浄するための洗浄手段を設けたことを特徴とする浴室サウナ装置。
【請求項２】
浴室内を加熱するための加熱手段と、浴室内を加湿するための加湿手段を有する浴室サウナ装置において、前記加湿手段が加湿手段に送風を行う送風用ファンに給水を行うことで水を微細な水滴に破砕し、生成した微細な水滴を前記送風用ファンにより浴室内に供給することで加湿を行う加湿手段であり、浴室サウナ装置の運転開始時に、前記送風用ファンへの給水を行った後、一定時間を経過してから前記送風用ファンの運転を開始することを特徴とする請求項１に記載の浴室サウナ装置。
【請求項３】
浴室内を加熱するための加熱手段と、浴室内を加湿するための加湿手段と、浴室内の空気を前記加熱手段及び前記加湿手段に循環させる為の風路を有する浴室サウナ装置において、前記加湿手段が加湿手段に送風を行う送風用ファンに給水を行うことで水を微細な水滴に破砕し、生成した微細な水滴を前記送風用ファンにより浴室内に供給することで加湿を行う加湿手段であり、浴室サウナ装置の運転開始時に、前記送風用ファンへの給水を行うことで前記風路内部に付着したスケール成分などを洗浄した後、前記送風用ファンの運転を開始することで前記風路内に付着したスケール成分などが浴室内に吹き出すのを防止することを特徴とする請求項１または請求項２に記載の浴室サウナ装置。
【請求項４】
浴室サウナ装置の運転開始時に送風用ファンの回転数を所定の回転数まで段階的に回転数を増加させることを特徴とする請求項１、２または請求項３に記載の浴室サウナ装置。
【請求項５】
送風用ファンの運転開始時の回転数が安定運転時の定格回転数の５０％以下の回転数であることを特徴とする請求項１、２、３または請求項４に記載の浴室サウナ装置。
【請求項６】
浴室内を加熱するための加熱手段と、浴室内を加湿するための加湿手段と浴室内の空気を前記加熱手段及び前記加湿手段に循環させる為の風路を有する浴室サウナ装置において、前記加湿手段が加湿手段に送風を行う送風用ファンに給水を行うことで水を微細な水滴に破砕し、生成した微細な水滴を前記送風用ファンにより浴室内に供給することで加湿を行う加湿手段であり、浴室サウナ装置の運転終了時に自動で装置内部の乾燥運転を行うことを特徴とする浴室サウナ装置。
【請求項７】
浴室内を加熱するための加熱手段と、浴室内を加湿するための加湿手段を有する浴室サウナ装置において、前記加湿手段が加湿手段に送風を行う送風用ファンに給水を行うことで水を微細な水滴に破砕し、生成した微細な水滴を前記送風用ファンにより浴室内に供給することで加湿を行う加湿手段であり、浴室サウナ装置の運転終了時に、前記送風用ファンへの給水を停止した後、一定時間を経過してから前記送風用ファンの運転を停止することで、装置内の乾燥運転を自動で行うことを特徴とする請求項６に記載の浴室サウナ装置。
【請求項８】
前記風路内部に空気を加熱するための循環空気加熱手段を設けたとことを特徴とする請求項６あるいは請求項７に記載の浴室サウナ装置。
【請求項９】
前記循環空気加熱装置が風路の吸い込口側に設けられていることを特徴とする請求項６、７あるいは請求項８に記載の浴室サウナ装置。
【請求項１０】
前記循環空気加熱装置が浴室サウナ装置の加湿手段に熱を供給するための循環温水を利用して加熱を行うことを特徴とする請求項６、７、８または請求項９に記載の浴室サウナ装置。
【請求項１１】
装置内の乾燥運転時に浴室内の換気を同時に行うことを特徴とする請求項６、７、８、９または請求項１０に記載の浴室サウナ装置。
【請求項１２】
装置内の乾燥運転時に浴室サウナ装置の加熱部の運転を行い、浴室内の乾燥を同時に行うことを特徴とする請求項６、７、８、９、１０または請求項１１に記載の浴室サウナ装置。
【請求項１３】
前記風路内部に浴室サウナ装置内部の湿度を計測するための湿度検出手段を設け、前記湿度検出手段により検出された浴室サウナ装置内部の湿度が所定の値以下になった場合に自動で乾燥運転を終了することを特徴とする請求項６、７、８、９、１０、１１または請求項１２に記載の浴室サウナ装置。
【請求項１４】
前記湿度検出手段が風路の吹き出し口近傍に設けられていることを特徴とする請求項６、７、８、９、１０、１１、１２または請求項１３に記載の浴室サウナ装置。
【請求項１５】
前記湿度検出手段が風路の吸い込み口近傍に設けられていることを特徴とする請求項６、７、８、９、１０、１１、１２、１３または請求項１４に記載の浴室サウナ装置。
【発明の詳細な説明】
【技術分野】
【０００１】
本発明は、浴室内を加熱及び加湿することにより、浴室内をサウナ空間とする浴室サウナ装置に関する。
【背景技術】
【０００２】
従来の浴室サウナ装置としては、ミスト噴出手段に温水を供給して浴室内を加湿するものがある（例えば、特許文献１参照）。
【０００３】
以下、その浴室サウナ装置について図４を参照しながら説明する。
【０００４】
図４に示すように、本体１０１内に、吸気口１０２を通して浴室１０３内の空気を吸引して吹出口１０４を通して空気を吹出すための循環風路１０５、その循環風路１０５に通風作用を行う循環ファン１０６、循環風路１０５を通風する空気に対して加熱作用する加熱手段１０７としての熱交換器１０８、その熱交換器１０８に温水の供給を断続する熱動弁１０９、浴室１０３内の空気を吸引して排気ダクト１１０を通して屋外に排気する換気ファン１１１、ミスト噴出手段１１２としての噴出ノズル１１３、噴出ノズル１１３に温水を供給するための温水供給路１１４および噴出ノズル１１３への温水の供給を断続する電磁弁１１５等を備えている。そして浴室をサウナ空間として使用する場合には、温水供給路１１４を通じて供給される温水をミストとして噴出ノズル１１３から噴出させるとともに、換気ファン１１１を停止させ、かつ循環ファン１０６を作動させ、浴室１０３内の温度が設定温度に維持されるように、熱動弁１０９の開閉を制御して熱交換器１０８に熱媒としての温水を循環供給し、この熱交換器１０８により加熱された循環空気を吹出口１０４から浴室１０３内に吹出すようにしている。
【特許文献１】特開２００２−３３６３２７号公報（第３−７頁、第１−５図）
【発明の開示】
【発明が解決しようとする課題】
【０００５】
以上の例では、温水供給路１１４からの温水を噴出ノズル１１３においてミスト状にして浴室１０３内に供給することにより、浴室１０３内の加湿をおこなうようにしているが、噴出ノズル１１３から噴出されたミストが人体に接触すると水滴感を覚えるため、入浴者が十分な快適感やサウナ効果を十分得られないという問題があった。
【０００６】
浴室サウナ装置の運転を続けると装置内部に加湿水中のＭｇやＳｉなどのスケール成分が析出、付着し、浴室サウナ装置の運転開始時に風路からはがれ吹出口より浴室内に吹出されてしまう。
【０００７】
また、浴室サウナ装置の運転終了後の装置内部は高湿度な状態であり、そのまま放置すると装置内部に人体に悪影響を及ぼす菌や黴が発生してしまう。
【０００８】
本発明は上記課題を解決するものであり、浴室サウナ装置を長期間使用した後でも加湿水中に含まれるスケール成分などが吹き出すことがなく、装置内部の菌や黴の発生も抑制することが可能な浴室サウナ装置を提供することを目的としている。
【課題を解決するための手段】
【０００９】
上記目的を達成するために、本発明が講じた第１の課題解決手段は、サウナ対象室の空気を循環させる循環手段と、前記循環手段により循環される空気を加熱するための加熱手段と、前記循環手段により循環される空気を加湿するための加湿手段を備え、前記加湿手段が前記循環手段に水を供給し、循環手段により供給水を微細な水滴に破砕し、循環する空気と共に微細な水滴をサウナ対象室に供給することで加湿を行う加湿手段であり、浴室サウナ装置の内部に蓄積されたスケール成分などを洗浄するための洗浄手段を設けたものである。
【００１０】
この手段により、浴室サウナ装置の運転時に浴室サウナ装置内部に蓄積されたスケールなどを浴室内に吹出すことのない浴室サウナ装置を提供することができる。
【００１１】
また、本発明が講じた第２の課題解決手段は、サウナ対象室の空気を循環させる循環手段と、前記循環手段により循環される空気を加熱するための加熱手段と、前記循環手段により循環される空気を加湿するための加湿手段を備え、前記加湿手段が前記循環手段に水を供給し、循環手段により供給水を微細な水滴に破砕し、循環する空気と共に微細な水滴をサウナ対象室に供給することで加湿を行う加湿手段であり、浴室サウナ装置の運転開始時に加湿手段への給水を行った後、一定時間が経過してから循環手段による送風を開始するようにしたものである。
【００１２】
この手段により、浴室サウナ装置の運転開始時に、浴室サウナ装置の風路内を供給水により充分洗浄してから運転を開始することができる。
【００１３】
また、本発明が講じた第３の課題解決手段は、上記第１の課題解決手段において、給水を開始してから一定時間経過してから循環手段による送風を開始することで、浴室サウナ装置の風路内に付着しているスケール成分などを供給水により洗浄してから送風を開始する様にしたものである。
【００１４】
この手段により、浴室サウナ装置の運転開始時に、浴室サウナ装置の風路内を供給水により充分洗浄してから運転を開始することができ、浴室サウナ装置の風路内に付着したごみ、運転停止時に発生した菌などを洗浄することでサウナ対象室内にごみや有害な菌などを吹出さないようにすることができる。
【００１５】
また、本発明が講じた第４の課題解決手段は、上記第１の課題解決手段において、送風用ファンの運転を開始する際に段階的に回転数を増加させるようにしたものである。
【００１６】
この手段により、風路内の風速を徐々に早くすることで風路内に付着したごみ等をサウナ対象室内に吹出すことなく、風路内を充分に洗浄しながら送風を開始することが可能となる。
【００１７】
また、本発明が講じた第５の課題解決手段は、上記第１の課題解決手段において、起動時の送風用ファンの回転数を安定運転時の回転数の５０％以下の回転数で運転するようにしたものである。
【００１８】
この手段により、浴室サウナ装置の運転開始時に、風路内に付着したごみ等を吹出すことなく浴室サウナ装置の運転を開始することができる。
【００１９】
また、本発明が講じた第６の課題解決手段は、浴室サウナ装置の運転終了時に、装置内の風路を自動的に乾燥させるようにしたものである。
【００２０】
この手段により、運転停止中に浴室サウナ装置の風路内に菌や黴などが発生するのを防止することができる。
【００２１】
また、本発明が講じた第７の課題解決手段は、浴室サウナ装置の運転終了時に、加湿用の給水を停止した後、一定の期間、送風用ファンを運転し、装置内の風路を自動的に乾燥させるようにしたものである。
【００２２】
この手段により、運転停止時に浴室サウナ装置の風路内部を自動的に乾燥させることができ、運転停止中に風路内部に菌や黴が発生するのを防止することができる。
【００２３】
また、本発明が講じた第８の課題解決手段は、浴室サウナ装置の風路内部に空気を加熱するための加熱手段を設けたものである。
【００２４】
この手段により、運転停止時に浴室サウナ装置の風路内部をより乾燥状態にすることができ、運転停止中に風路内部に菌や黴が発生するのを防止することができる。
【００２５】
また、本発明が講じた第９の課題解決手段は、上記第６の課題解決手段において、加熱手段を浴室サウナ装置の風路の吸い込み口側に設けたものである。
【００２６】
この手段により、運転停止時の風路内の乾燥において、加湿手段を含む風路全体を乾燥状態にすることができる。
【００２７】
また、本発明が講じた第１０の課題解決手段は、上記第６の課題解決手段において、加熱手段が加湿手段に熱を供給する為の循環温水を利用して空気の加熱を行うようにしたものである。
【００２８】
この手段により、特殊な発熱減を別途設けることなく風路内部の乾燥を行うことができる。
【００２９】
また、本発明が講じた第１１の課題解決手段は、上記第６の課題解決手段において、装置内の乾燥を行うと同時に、サウナ対象室内の換気を行うようにしたものである。
【００３０】
この手段により、サウナ対象室内の湿度を低下させ、浴室サウナ装置内部を循環する空気の湿度を下げることで、浴室サウナ装置内の風路内をより乾燥した状態にすることができる。
【００３１】
また、本発明が講じた第１２の課題解決手段は、上記第６の課題解決手段において、装置内部の乾燥とサウナ対象室内の乾燥を同時に行うようにしたものである。
【００３２】
この手段により、浴室サウナ装置の風路内部の乾燥と同時にサウナ対象室内の乾燥を同時に行うことができ、浴室内における菌や黴の発生も抑制することができる。
【００３３】
また、本発明が講じた第１３の課題解決手段は、上記第６の課題解決手段において、浴室サウナ装置の風路内部に湿度検出手段を設け、浴室サウナ装置内部の湿度を検出できるようにしたものである。
【００３４】
この手段により、浴室サウナ装置の風路内部の乾燥状態を検出することが可能となり、より確実に風路内の乾燥を行うことができる。
【００３５】
また、本発明が講じた第１４の課題解決手段は、上記第１１の課題解決手段において、湿度検出手段を浴室サウナ装置の風路の吹出し口近傍に設けたものである。
【００３６】
この手段により、浴室サウナ装置の風路内部の乾燥状態を検出することが可能となり、より確実に風路内の乾燥を行うことができる。
【００３７】
また、本発明が講じた第１５の課題解決手段は、上記第１１の課題変え決手段において、湿度検出手段を浴室サウナ装置の風路の吸い込み口近傍に設けたものである。
【００３８】
この手段により、浴室サウナ装置の風路内およびサウナ対象室内の乾燥状態を検出することが可能となり、より確実に風路及びサウナ対象室内の乾燥を行うことができる。
【発明の効果】
【００３９】
本発明によれば運転開始時に装置内部に蓄積したスケール成分やごみ、装置内部で発生した菌や黴などを洗浄、除去することができ、装置外部の浴室内に吹出すことの無い浴室サウナ装置を提供できる。
【００４０】
また、装置の停止時に装置内部に菌や黴が発生することが無い衛生的な機器を提供することができる。
【発明を実施するための最良の形態】
【００４１】
本発明の請求項１記載の発明は、浴室内を加熱するための加熱手段と、浴室内を加湿するための加湿手段を有する浴室サウナ装置において、前記加湿手段が加湿手段に送風を行う送風用ファンに給水を行うことで水を微細な水滴に破砕し、生成した微細な水滴を前記送風用ファンにより浴室内に供給することで加湿を行う加湿手段であり、浴室サウナ装置の運転開始時に、浴室サウナ装置の内部に蓄積されたスケール成分などを洗浄するための洗浄手段を設けたものであり、この手段により、浴室サウナ装置の運転時に浴室サウナ装置内部に蓄積されたスケールなどを浴室サウナ装置の運転開始時に洗浄除去することで浴室内に吹出すことのない浴室サウナ装置を提供することができる。
【００４２】
また、浴室内を加熱するための加熱手段と、浴室内を加湿するための加湿手段を有する浴室サウナ装置において、前記加湿手段が加湿手段に送風を行う送風用ファンに給水を行うことで水を微細な水滴に破砕し、生成した微細な水滴を送風用ファンにより浴室内に供給することで加湿を行う加湿手段であり、浴室サウナ装置の起動時に、前記送風用ファンへの給水を行った後、一定時間を経過してから送風用ファンの運転を開始するようにしたものであり、この手段により、浴室サウナ装置の運転開始時に、浴室サウナ装置の風路内を供給水により充分洗浄してから運転を開始することができる。
【００４３】
また、浴室内を加熱するための加熱手段と、浴室内を加湿するための加湿手段を有する浴室サウナ装置において、前記加湿手段が加湿手段に送風を行う送風用ファンに給水を行うことで水を微細な水滴に破砕し、生成した微細な水滴を送風用ファンにより浴室内に供給することで加湿を行う加湿手段であり、浴室サウナ装置の起動時に、前記送風用ファンへの給水を行うことで浴室サウナ装置の風路内部に付着したスケール成分などを洗浄した後、送風用ファンの運転を開始することで風路内に付着したスケール成分などを浴室内に吹き出すのを防止するようにしたものであり、この手段により、浴室サウナ装置の運転開始時に、浴室サウナ装置の風路内を供給水により充分洗浄してから運転を開始することができ、浴室サウナ装置の風路内に付着したごみ、運転停止時に発生した菌などを洗浄することでサウナ対象室内にごみや有害な菌などを吹出さないようにすることができる。
【００４４】
また、浴室サウナ装置の起動時に送風用ファンの回転数を所定の回転数まで段階的に回転数を増加させるようにしたものであり、この手段により、風路内の風速を徐々に早くすることで風路内に付着したごみ等をサウナ対象室内に吹出すことなく、風路内を充分に洗浄しながら送風を開始することが可能となる。
【００４５】
また、浴室サウナ装置の起動時の送風用ファンの回転数が安定運転時の定格回転数の５０％以下の回転数としたものであり、この手段により、浴室サウナ装置の運転開始時に、風路内に付着したごみ等を吹出すことなく浴室サウナ装置の運転を開始することができる。
【００４６】
また、浴室内を加熱するための加熱手段と、浴室内を加湿するための加湿手段と浴室内の空気を前記加熱手段及び前記加湿手段に循環させる為の風路を有する浴室サウナ装置において、前記加湿手段が加湿手段に送風を行う送風用ファンに給水を行うことで水を微細な水滴に破砕し、生成した微細な水滴を前記送風用ファンにより浴室内に供給することで加湿を行う加湿手段であり、浴室サウナ装置の運転終了時に自動で装置内部の乾燥運転を行うようにしたものであり、この手段により、運転停止時に浴室サウナ装置の運転停止中に風路内部に菌や黴が発生するのを防止することができる。
【００４７】
また、浴室内を加熱するための加熱手段と、浴室内を加湿するための加湿手段を有する浴室サウナ装置において、前記加湿手段が加湿手段に送風を行う送風用ファンに給水を行うことで水を微細な水滴に破砕し、生成した微細な水滴を送風用ファンにより浴室内に供給することで加湿を行う加湿手段であり、浴室サウナ装置の停止時に、前記送風用ファンへの給水を停止した後、一定時間を経過してから送風用ファンの運転を停止することで、装置内の乾燥運転を自動で行うようにしたものであり、この手段により、運転停止時に浴室サウナ装置の風路内部を自動的に乾燥させることができ、運転停止中に風路内部に菌や黴が発生するのを防止することができる。
【００４８】
また、加湿手段に浴室内の空気を循環させるための風路内部に空気を加熱するための循環空気加熱手段を設けたものであり、この手段により、運転停止時に浴室サウナ装置の風路内部をより乾燥状態にすることができ、運転停止中に風路内部に菌や黴が発生するのを防止することができる。
【００４９】
また、前期循環空気加熱装置が風路の吸い込口側に設けられているものであり、この手段により、運転停止時の風路内の乾燥において、加湿手段を含む風路全体を乾燥状態にすることができる。
【００５０】
また、前期循環空気加熱装置が浴室サウナ装置の加湿手段に熱を供給するための循環温水を利用して加熱を行うようにしたものであり、この手段により、特殊な発熱減を別途設けることなく風路内部の乾燥を行うことができる。
【００５１】
また、装置内の乾燥運転時に浴室内の換気を同時に行うようにしたものであり、この手段により、サウナ対象室内の湿度を低下させ、浴室サウナ装置内部を循環する空気の湿度を下げることで、浴室サウナ装置内の風路内をより乾燥した状態にすることができる。
【００５２】
また、装置内の乾燥運転時に浴室サウナ装置の加熱部の運転を行い、浴室内の乾燥を同時に行うようにしたものであり、この手段により、浴室サウナ装置の風路内部の乾燥と同時にサウナ対象室内の乾燥を同時に行うことができ、浴室内における菌や黴の発生も抑制することができる。
【００５３】
また、加湿手段に浴室内の空気を循環させるための風路内部に浴室サウナ装置内部の湿度を計測するための湿度検出手段を設け、前期湿度検出手段により検出された浴室サウナ装置内部の湿度が所定の値以下になった場合に自動で乾燥運転を終了するようにしたものであり、この手段により、浴室サウナ装置の風路内部の乾燥状態を検出することが可能となり、より確実に風路内の乾燥を行うことができる。
【００５４】
また、前期湿度検出手段が風路の吹き出し口近傍に設けられているものであり、この手段により、浴室サウナ装置の風路内部の乾燥状態を検出することが可能となり、より確実に風路内の乾燥を行うことができる。
【００５５】
また、前期湿度検出手段が風路の吸い込み口近傍に設けられているものであり、この手段により、浴室サウナ装置の風路内およびサウナ対象室内の乾燥状態を検出することが可能となり、より確実に風路及びサウナ対象室内の乾燥を行うことができる。
【００５６】
以下、本発明の実施の形態について図面を参照しながら説明する。
【００５７】
（実施の形態１）
図１に示すように、本実施の形態における浴室サウナ装置は本体１０１内部に吸気口１０２を通して浴室１０３内の空気を吸引して吹出口１０４を通して空気を吹出すための循環風路１０５、その循環風路１０５に通風作用を行う循環ファン１０６、循環ファンに給水を行う加湿水噴出ノズル１、循環風路１０５の吸気口１０２近傍に循環風路１０５を通風する空気に対して加熱作用する加熱手段１０７としての熱交換器１０８、その熱交換器１０８に温水の供給を断続する熱動弁１０９、浴室１０３内の空気を吸引して排気ダクト１１０を通して屋外に排気する換気ファン１１１、加湿水噴出ノズル１に供給する加湿水を加熱するための水熱交換器２、加湿水噴出ノズル１への加湿水の供給を断続する電磁弁１１５、加湿水の噴出量を調整するための給水量調整弁３、循環風路１０５内を通風する空気の湿度を検出する為の湿度センサー４等を備えている。
【００５８】
浴室をサウナ空間として使用する場合には循環ファン１０６を作動させて浴室内の空気を装置内部に循環させ、熱交換器１０８によりその温度を昇温すると共に、循環ファン１０６に加湿水噴出ノズル１から温水を吹き付けることで循環ファン１０６の翼面において加湿水を破砕し、微細な水滴を生成させ、循環風路１０５内を通風する空気に微細な水滴を混合させて浴室内に供給することで浴室内の加熱及び加湿を行う。
【００５９】
この際、湿度センサー４は循環風路１０５の吹出口１０４近傍に設けられており、浴室サウナ装置から吹出される空気の湿度を検出する。ここで、吹出口近傍とは吹出口に対して近接する位置を意味し、望ましくは吹出口開口部と同一平面が望ましいが浴室サウナ装置から浴室に吹出される空気の湿度を検知することが可能な位置であればその作用効果に差異を生じない。
【００６０】
浴室サウナ装置の運転を長期間継続すると、加湿に使用する加湿水中に含まれる硬度成分（Ｍｇ、Ｓｉなど、以後スケールと呼称）が循環風路１０５の壁面上及び循環ファン１０６の翼面上に析出する。析出したスケールは浴室サウナ装置の運転開始時などに循環風路１０５の壁面及び循環ファン１０６の翼面から循環ファン１０６の送風により脱落し、循環空気と共に浴室１０３に吹出す可能性がある。そこで、浴室サウナ装置の運転開始時には図２に示すように、まず電磁弁１１５に通電し加湿水噴出ノズル１から加湿水の噴霧を行う。加湿水噴出ノズル１から噴霧された加湿水により循環ファン１０６、循環風路１０５に付着したスケールを洗浄した後、所定の時間（例えば１０〜２０秒程度）を経過してから循環ファン１０６の運転を開始する。循環ファン１０６の運転開始時には所定の回転数よりも低い回転数Ｎ１（例えば１０００ｒｐｍ程度）にて運転を開始し、循環風路１０５壁面上に付着したスケールが通風により脱落しない程度の送風を行う。この操作により、循環風路１０５の下流側にも充分に加湿水が供給され、循環風路１０５の内壁面を充分に洗浄することが可能となる。循環ファン１０６は一定の期間、回転数Ｎ１にて運転を行った後、順次回転数をＮ２、Ｎ３・・・（Ｎ１＜Ｎ２＜Ｎ３・・・）と段階的に増加させ、通常運転時の回転数Ｎｎ（例えば３０００ｒｐｍ程度）へと移行させる。これらの動作により、循環風路１０５内壁面及び循環ファン１０６の翼面に付着したスケールを充分に洗浄除去し、浴室１０３内に吹出すことのない浴室サウナ装置の運転を行うことが可能となる。
【００６１】
浴室サウナ装置の運転停止時においては、浴室サウナ装置の循環風路１０５内部は高湿度な状態となっており、長期間放置した場合、循環風路１０５内部に菌や黴が発生する可能性がある。そこで、浴室サウナ装置の運転終了時には図３に示すように、まず電磁弁１１５の通電を停止し、加湿水噴出ノズル１からの加湿水の噴霧を停止する。この状態のまま、循環ファン１０６の運転を継続し、循環風路１０５への通風を継続する。この際、熱動弁１０９への通電を行い、熱交換器１０８によって循環風路１０５内を通風する空気の温度を昇温することで循環風路１０５及び浴室１０３内の乾燥を促進させる。さらに、換気ファン１１１の運転を行い、排気ダクト１１０から浴室内の高湿度な空気を排気することで浴室内の相対湿度を低下させ浴室１０３内を乾燥させると共に、循環風路１０５内に供給される空気の相対湿度を下げることで循環風路１０５内の乾燥を促進させる。
【００６２】
上記運転終了時の乾燥運転時には湿度センサー４により浴室サウナ装置から吹出される空気の湿度を検出し、所定の湿度を下回るようになるまで循環ファン１０６の運転を継続する。この際の湿度としては熱交換器１０８の加熱量によって目標相対湿度が変化するが相対湿度１５％以下であることが望ましい。吹出し空気の湿度が所定の湿度を下回った場合は循環ファン１０６、熱動弁１０９、換気ファン１１１の運転を終了し、停止状態となる。以上の操作を行うことで、浴室サウナ装置の運転終了時に循環風路１０５内部及び浴室１０３内を自動的に充分乾燥した状態にすることができ、浴室サウナ装置の運転停止時に循環風路１０５内部や浴室１０３内部に菌や黴が発生するのを防止することが可能となる。
【００６３】
なお、本実施例において運転開始時の循環ファン１０６の運転開始までの遅延時間を１０〜２０秒程度としたが、循環ファン１０６及び循環風路１０５内壁面及び循環ファン１０６の翼面からスケール成分などを洗浄除去することが可能な期間であればよく、前記遅延時間を超えて遅延動作を行ってもその作用効果に差異を生じない。
【００６４】
また、本実施例において運転開始時の循環ファン１０６の回転数Ｎ１を１０００ｒｐｍ程度としたが、安定運転時の回転数Ｎｎに対して５０％以下の回転数であれば良く、Ｎｎの回転数に対してＮ１の回転数を５０％以下の回転数とすることで循環ファンより下流の風路に対してスケールなどを脱落することなく加湿水を供給し風路内の洗浄を行うことができる。
【００６５】
また、本実施例において、熱交換器１０８を吸気口１０２近傍に設ける構成としたが、ここでの吸気口１０２近傍とは吸気口に近接する位置を指し、望ましくは吸気口開口部と同一平面であることが望ましいが、循環風路１０５内全体に加熱空気を供給できる位置に設ければよく、吸気口１０２近傍に設けることによって循環風路１０５内部全体を乾燥させることが容易となる。
【００６６】
また、本実施例においては湿度センサー４を吹出口１０４近傍に設けたが、ここでの吹出口近傍とは吹出口１０４に近接する位置を差し、望ましくは吹出口開口部と同一平面であることが望ましいが、吹出口１０４から吹出される空気の湿度を検出できる位置であればよく、吹出口１０４近傍に設けることによって循環風路１０５内の乾燥状態をより正確に把握することが可能となり、更に吸気口１０２近傍及び吹出口１０４近傍の両方に湿度センサーを設けることにより循環風路１０５内及び浴室１０３内の乾燥状態を同時に検出することが可能となり、循環風路１０５及び浴室１０３の両者を乾燥状態にすることができる。
【００６７】
また、本実施例では吹出口近傍に湿度センサー４を設ける構成としたが、湿度センサー４を設けず、ある一定期間（１０〜２０分程度）循環ファン１０６の運転を行い、風路１０５を乾燥させるようにしても良い。この際の乾燥に必要な時間についてはあらかじめ循環風路１０５内が完全に乾燥する時間を設定することが望ましい。
【産業上の利用可能性】
【００６８】
以上のように本発明にかかる浴室サウナ装置は、水滴感の少ない加湿を得られるものであり、浴室以外の居室を換気空調する装置と併用することで居室の加温加湿を行う用途にも適用できる。
【図面の簡単な説明】
【００６９】
【図１】本発明の実施の形態１の浴室サウナ装置を示す概略図
【図２】同実施の形態１における浴室サウナ装置の起動フロー図
【図３】同実施の形態１における浴室サウナ装置の停止フロー図
【図４】従来の浴室サウナ装置を示す概略図
【符号の説明】
【００７０】
１      加湿水噴出ノズル
２      水熱交換器
３      給水量調整弁
４      湿度センサー
１０１  本体
１０２  吸気口
１０３  浴室
１０４  吹出口
１０５  循環風路
１０６  循環ファン
１０７  加熱手段
１０８  熱交換器
１０９  熱動弁
１１０  排気ダクト
１１１  換気ファン
１１２  ミスト噴出手段
１１３  ノズル
１１４  温水供給路
１１５  電磁弁
【図１】
2006025962.tif 000003
【図２】
2006025962.tif 000004
【図３】
2006025962.tif 000005
【図４】
2006025962.tif 000006